(57)【要約】【課題】モータ等を使用することなく水圧のみで機器に振動を与えることが可能で、しかもバイブレータ機能とシャワー機能とを併せ持った性感部を刺激するためのシャワー式刺激具を提供することを目的とするものである。【解決手段】この発明の性感部を刺激するためのシャワー式刺激具は、長さ方向の内側に内筒を収納固定した筒状本体と、この筒状本体に対して一定の間隔をおいて並設された噴射ノズルとを備え、前記筒状本体の基端には内筒に給水する配管との連結部を設け、前記筒状本体の先端には内筒と筒状本体とを結ぶ連通部が形成されていて、内筒内からの給水を内筒と筒状本体との間の連通部に送出するとともに、前記連通部には筒状本体の前記先端に対して振動を与える振動付与手段が内蔵してあり、前記噴射ノズルと前記筒状本体とを連結管で連結して、筒状本体に供給された給水を噴射ノズルに送り込んでその先端から噴射するようにしたことを特徴とする。【選択図】図２
2010042074.tif 000002
【特許請求の範囲】
【請求項１】
長さ方向の内側に内筒を収納固定した筒状本体と、この筒状本体に対して一定の間隔をおいて並設された噴射ノズルとを備え、
前記筒状本体の基端には内筒に給水する配管との連結部を設け、前記筒状本体の先端には内筒と筒状本体とを結ぶ連通部が形成されていて、内筒内からの給水を内筒と筒状本体との間の連通部に送出するとともに、前記連通部には筒状本体の前記先端に対して振動を与える振動付与手段が内蔵してあり、
前記噴射ノズルと前記筒状本体とを連結管で連結して、筒状本体に供給された給水を噴射ノズルに送り込んでその先端から噴射するようにしたことを特徴とする性感部を刺激するためのシャワー式刺激具。
【請求項２】
前記振動付与手段が、前記内筒と筒状本体との間に送出される水流で前記連通部内を移動する球状重りからなることを特徴とする請求項１に記載の性感部を刺激するためのシャワー式刺激具。
【請求項３】
前記振動付与手段が、前記連通部内に設置されたスクリュと、スクリュの回転中心からスクリュの先端に延長するように取付けた連結紐と、連結紐の先端に取付けた球状重りからなることを特徴とする請求項１に記載の性感部を刺激するためのシャワー式刺激具。
【請求項４】
前記振動付与手段が、前記連通部内に設置された回転翼付きの回転軸と、回転軸に取付けた連結紐と、連結紐の先端に取付けた球状重りからなることを特徴とする請求項１に記載の性感部を刺激するためのシャワー式刺激具。
【請求項５】
前記噴射ノズルが、前記噴射ノズルと前記筒状本体とを結ぶ連結管からの給水量を調節するための開閉式バルブを備えてなることを特徴とする請求項１に記載の性感部を刺激するためのシャワー式刺激具。
【発明の詳細な説明】
【技術分野】
【０００１】
本発明は、女性の性感部を刺激し、性感アップを目的としたリハビリ用の器具に関するものである。
【背景技術】
【０００２】
このような夫婦生活の興奮療法のための刺激具としては特開平１１−３１９０１３号公報（特許文献１参照）に記載された刺激具付属品が知られている。
【０００３】
前記特開平１１−３１９０１３号公報（特許文献１参照）に記載された発明は、周囲に切欠き部を有する円錐状基部、頂部の刺激用突起、および側面に直角に伸びる剛毛房を有しており、２つの領域または位置を同時に刺激することができるようにしたものであって、刺激具は逓降変圧器および防水性のケースを使用し、２０００〜８０００（好ましくは３０００〜３６００）回／分の速度で、１０〜８０（好ましくは２０〜６０）度の範囲から選ばれる操作角度で揺動するよう構成したものである。
【特許文献１】特開平１１−３１９０１３号公報
【発明の開示】
【発明が解決しようとする課題】
【０００４】
しかしながら、前記先行技術は従来のいわゆるバイブレータの一種であって、本発明の目的とするようなバイブレータ機能とシャワー機能とを併せ持った機器に関するものではない。
【０００５】
また、シャワー機能を持った局部洗浄装置は、ビデ機能付きの洗浄便座に見られるように極めて一般的なものであるが、手で持って自由に操作できるシャワー装置としては通常の身体洗浄のためのシャワー装置が存在するだけであり、女性の性感部を刺激し、性感アップを目的としたリハビリ用の器具としてのものではなかった。
【０００６】
そこでこの発明においては、モータ等を使用することなく水圧のみで機器に振動を与えることが可能で、しかもバイブレータ機能とシャワー機能とを併せ持った性感部を刺激するためのシャワー式刺激具を提供することを目的とするものである。
【課題を解決するための手段】
【０００７】
すなわち、本発明の性感部を刺激するためのシャワー式刺激具は、長さ方向の内側に内筒を収納固定した筒状本体と、この筒状本体に対して一定の間隔をおいて並設された噴射ノズルとを備え、
前記筒状本体の基端には内筒に給水する配管との連結部を設け、前記筒状本体の先端には内筒と筒状本体とを結ぶ連通部が形成されていて、内筒内からの給水を内筒と筒状本体との間の連通部に送出するとともに、前記連通部には筒状本体の前記先端に対して振動を与える振動付与手段が内蔵してあり、
前記噴射ノズルと前記筒状本体とを連結管で連結して、筒状本体に供給された給水を噴射ノズルに送り込んでその先端から噴射するようにしたことを特徴とするものである。
【０００８】
本発明の性感部を刺激するためのシャワー式刺激具において、前記振動付与手段は、前記内筒と筒状本体との間に送出される水流で前記連通部内を移動する球状重りからなることをも特徴とするものである。
【０００９】
本発明の性感部を刺激するためのシャワー式刺激具において、前記振動付与手段が、前記連通部内に設置されたスクリュと、スクリュの回転中心からスクリュの先端に延長するように取付けた連結紐と、連結紐の先端に取付けた球状重りからなることをも特徴とするものである。
【００１０】
本発明の性感部を刺激するためのシャワー式刺激具において、前記振動付与手段が、前記連通部内に設置された回転翼付きの回転軸と、回転軸に取付けた連結紐と、連結紐の先端に取付けた球状重りからなることをも特徴とするものである。
【００１１】
本発明の性感部を刺激するためのシャワー式刺激具において、前記噴射ノズルが、前記噴射ノズルと前記筒状本体とを結ぶ連結管からの給水量を調節するための開閉式バルブを備えてなることをも特徴とするものである。
【発明の効果】
【００１２】
この発明によれば、モータ等を使用することなく水圧のみで機器に振動を与えることが可能で、しかもバイブレータ機能とシャワー機能とを併せ持った性感部を刺激するためのシャワー式刺激具を提供することが可能となった。
したがって、電気器具を使用しないので漏電による事故の危険がなく、しかも長期間使用しても故障の少ない、非常に取り扱いの容易な性感部を刺激するためのシャワー式刺激具を提供することができるようになった。
【発明を実施するための最良の形態】
【００１３】
以下この発明の性感部を刺激するためのシャワー式刺激具の実施の形態について、図面に基いて詳細に説明する。
図１はこの発明の性感部を刺激するためのシャワー式刺激具の１実施例を示す概略断面図、図２は図１の機器に軟質被膜を被せた状態の概略断面図、図３（ａ），（ｂ），（ｃ）はそれぞれ振動付与手段の例を示す概略断面図である。
【００１４】
図１および図２において、この発明の性感部を刺激するためのシャワー式刺激具は、長さ方向の内側に１／２〜１／３の直径の内筒１２を収納固定した筒状本体１１と、この筒状本体１１に対して一定の間隔をおいてほぼ平行に並設されている噴射ノズル１３とを備えたものであって、筒状本体１１がバイブレータ機能を、また噴射ノズル１３がシャワー機能を発揮するようになっている。
【００１５】
すなわち、前記筒状本体１１の基端には内筒１２に給水する配管２１との連結部２２を設け、前記筒状本体１１の先端には内筒１２と筒状本体１１とを結ぶ連通部２３が形成されていて、内筒１２内からの給水を内筒１２と筒状本体１１との間の連通部２３に送出するとともに、前記連通部２３には筒状本体１１の前記先端に対して振動を与える振動付与手段２４が内蔵されているのである。
また、前記噴射ノズル１３と前記筒状本体１１とを連結管２５で連結して、筒状本体１１に供給された給水を噴射ノズル１３に送り込み、その先端から噴射するように構成してある。
図中１４，１５はそれぞれ筒状本体１１内の両端に配置したリング状のスペーサで、筒状本体１１の先端側のスペーサ１４上部には前記連通部２３と内筒１２の外周との間を結ぶ連通孔１６が形成されている。
【００１６】
図１および図２において、前記振動付与手段２４は、前記内筒１２と筒状本体１１との間に送出される水流で前記連通部２３内を移動する球状重り３１からなるものである。
この例では前記連通部２３を、球状重り３１の外径よりも多少広くした所定の幅の重り可動室３２と、その両側のスリット部３３とで構成し、球状重り３１の挙動が重り可動室３２内で一定のリズムとなるように規制されている。
前記連通部２３は、筒状本体１１に対して取付け取外しが可能なように構成されており、内部の清掃や球状重り３１の数を増やしたり減らしたりすることができるようになっている。
【００１７】
図において３４は内筒１２の先端に取付けられた下向きの送水ガイドで、内筒１２から送り込まれる水流を下向きに強制して、連通部２３内で矢印方向の水流が起きるようにするためのものである。また、３５は重り可動室３２上部に配置したストッパで、球状重り３１が重り可動室３２を回動して前記送水ガイド３４に強い衝撃を与えて損傷させることがないようにするとともに、このストッパ３５に当たる衝撃で連通部２３に振動を付与するよう機能する。
【００１８】
図２において４１はシリコン製の軟質被膜で、筒状本体１１の外周に被せてある。この状態で筒状本体１１を膣内に挿入し、前記振動付与手段２４に振動を与えて性感を向上させるために使用するのである。
【００１９】
本発明の性感部を刺激するためのシャワー式刺激具においては、前記振動付与手段として、図３（ａ），（ｂ），（ｃ）に示すような例を採用することができる。
図３（ａ）の振動付与手段２４は、前記実施例のように前記連通部２３内に球状重り３１を内蔵させたものである。
【００２０】
図３（ｂ）の振動付与手段２４は、前記連通部２３内に軸着されたスクリュ５１と、スクリュ５１の回転中心からスクリュ５１の先端に延長するように取付けた連結紐５２と、連結紐５２の先端に取付けた球状重り５３からなるものである。この例では、スクリュ５１によって与えられる回転力で球状重り５３を回転させ、球状重り５３が連通部２３の内壁との接触で連通部２３に振動を付与するようにしたものである。もちろん、連通部２３の内壁に所定の段差や凹凸を形成しておけばより確実に振動を付与することができる。
【００２１】
図３（ｃ）の振動付与手段２４は、前記連通部２３内に軸着された水車式の回転翼６１と、回転翼６１両側の回転軸６２から連通部２３内に延長するように取付けた連結紐６３と、連結紐６３の先端に取付けた球状重り６４からなるものである。この例では、回転翼６１によって与えられる回転力で球状重り６４を回転させ、球状重り６４が連通部２３の内壁との接触で連通部２３に振動を付与するようにしたものである。
【００２２】
図１および図２において、前記噴射ノズル１３は筒状本体１１と平行な筒状に形成されており、その先端には多数の小さい噴射孔７２を形成した噴射板７１が取付けてある。
また筒状部分にはピストン７３が進退可能に内蔵してあり、その後端は噴射ノズル１３後端のねじ込み式キャップ７４に一体化するよう連結されている。７５はねじ込み式キャップ７４の端部に形成した回転つまみである。
【００２３】
前記ピストン７３の前端にはコ字状断面の開閉式バルブ７６が一体的に形成され、噴射ノズル１３の筒状部分の絞られた先端に合致するサイズとなっている。したがって、開閉式バルブ７６が前進して噴射板７１に突き当たった位置においては噴射ノズル１３への給水は停止され、開閉式バルブ７６が後退して筒状部分の径の大きい位置では噴射ノズル１３へ所定の給水が行われるようになる。もちろん、開閉式バルブ７６の進退の程度に応じて、前記噴射ノズル１３への前記筒状本体１１からの給水量が調節できる。
図中７７は前記ピストン７３の中間位置に形成したピストン７３後部へ水が入り込むのを防止する後壁、７８は開閉式バルブ７６、後壁７７等の外周に取付けたパッキングである。
【００２４】
イ）以上のように構成したこの発明の性感部を刺激するためのシャワー式刺激具の使用に際しては、浴室等に付設された一般のシャワーヘッドを取外し、筒状本体１１後部の配管２１との連結部２２に連結固定する。
ロ）次にシャワーの元栓で湯量と湯温とを調節する。このときつまみ７５を操作して開閉式バルブ７６を開放しておく。
ハ）その際、噴射ノズル１３から噴射されたジェット噴流に手をかざし、手が後ろに押されたり、手に平に痛さを感じない程度の湯量に調整する。
また湯温は、生暖かい約２５℃以下のぬる目の温度が望ましい。
【００２５】
ニ）その上で開閉式バルブ７６を閉じ、噴射ノズル１３の先端を性感部と向き合わせる。そして徐々に開閉式バルブ７６を開きながら噴射ノズル１３からの湯量を性感を最も刺激する量に調節する。
湯量を希望する量に調節することが困難な場合には、前記元栓と併用して調整することができる。
ホ）このようにして噴射ノズル１３からの湯量、湯温の調節が完了した上、前記筒状本体１１の先端を女性の膣に挿入すれば、筒状本体１１内の水流に応じて球状重り３１が前記連通部２３に衝撃を与えて細かい振動を付与するので、女性の性感がより開発されるのである。
【産業上の利用可能性】
【００２６】
この発明は性感部を刺激するためのシャワー式刺激具は、振動付与手段によるバイブレータ機能とシャワー機能とを併用しつつ使用するのが効果的であるが、バイブレータ機能、シャワー機能をそれぞれ単独で使用する用途にも適用できる。
また水流のみならず、種々の薬液との混合液を使用したり、気流によって球状重りを点どうさせることもできる。その際、球状重りの重量を調節しておくことが望ましいのはいうまでもない。
【図面の簡単な説明】
【００２７】
【図１】この発明の性感部を刺激するためのシャワー式刺激具の１実施例を示す概略断面図である。
【図２】図１の機器に軟質被膜を被せた状態の概略断面図である。
【図３】（ａ），（ｂ），（ｃ）はそれぞれ振動付与手段の例を示す概略断面図である。
【符号の説明】
【００２８】
１１  筒状本体
１２  内筒
１３  噴射ノズル
１４，１５  スペーサ
１６  連通孔
２１  配管
２２  連結部
２３  連通部
２４  振動付与手段
２５  連結管
３１  球状重り
３１からなるものである。
３２  重り可動室
３３  スリット部
３４  送水ガイド
３５  ストッパ
４１  軟質被膜
５１  スクリュ
５２  連結紐
５３  球状重り
６１  回転翼
６２  回転軸
６３  連結紐
６４  球状重り
７１  噴射板
７２  噴射孔
７３  ピストン
７４  ねじ込み式キャップ
７５  回転つまみ
７６  開閉式バルブ
７７  後壁
７８  パッキング
【図１】
2010042074.tif 000003
【図２】
2010042074.tif 000004
【図３】
2010042074.tif 000005